(57)【特許請求の範囲】
【請求項１】
浴槽内の湯を循環ポンプにより吸湯管から汲み上げ、管路中に濾過装置、紫外線殺菌装置、加熱装置等を設けた装置本体で清浄化処理した後、噴湯管から浴槽内に再び噴出させる管路とを設け、前記循環ポンプの作動によって浴槽内の湯を吸湯管から装置本体内に吸い込まれて浄化されて前記ヒータで適温に加熱される通常の清浄化運転と、切換弁で切り換えられて、前記噴湯管と前記吸湯管とを直結する開閉自在の再循環用バイパス管路で噴湯管の湯を浴槽に噴出させないで吸湯管に戻して装置本体内を再び循環させ加熱を繰り返し、熱殺菌される湯温にして熱殺菌する熱殺菌のモードの運転をするよう設定する浴槽湯の清浄化装置において、
前記循環ポンプ、濾過装置、殺菌装置、加熱装置等の機器類を収納する装置本体の上端開口部を覆う開閉自在に装着されたトップカバーと、該トップカバーの開閉状態を検知するための蓋開閉検知手段とを備え、熱殺菌モードの運転に対して前記蓋開閉検知手段の蓋が開いているとの検知結果に基づいて熱殺菌モードの運転を中止するための信号を出力するようにしたことを特徴とする浴槽湯の清浄化装置。
【請求項２】
浴槽内の湯を循環ポンプにより吸湯管から汲み上げ、管路中に濾過装置、紫外線殺菌装置、加熱装置等を設けた装置本体で清浄化処理した後、噴湯管から浴槽内に再び噴出させる管路とを設け、前記循環ポンプの作動によって浴槽内の湯を吸湯管から装置本体内に吸い込まれて浄化されて前記ヒータで適温に加熱される通常の清浄化運転と、切換弁で切り換えられて、前記噴湯管と前記吸湯管とを直結する開閉自在の再循環用バイパス管路で噴湯管の湯を浴槽に噴出させないで吸湯管に戻して装置本体内を再び循環させ加熱を繰り返し、熱殺菌される湯温にして熱殺菌する熱殺菌のモードで運転をするよう設定する浴槽湯の清浄化装置において、
前記管路中に設けられた前記紫外線殺菌装置は、紫外線ランプを収納した保護管と、保護管の上端の開口に紫外線ランプに高周波の高電圧を印加するためのインバータボードを収納した回路ケースを設け、該回路ケース上を覆うＵＶキャップを設けると共に、該ＵＶキャップの開閉状態を検知する蓋開閉検知手段を備えて、熱殺菌モードの運転に対して前記蓋開閉検知手段の蓋が開いているとの検知結果に基づいて熱殺菌モードの運転を中止するための信号を出力するようにしたことを特徴とする浴槽湯の清浄化装置。
【発明の詳細な説明】
【０００１】
【発明の属する技術分野】
本発明は風呂装置に係り、特に浴槽内の湯を強制的に循環させつつ濾過、殺菌等の清浄化処理すると同時に入浴温度に保温し、浴槽湯を絶えず清浄かつ適温に保ち２４時間何時でも好みの時に入浴できるようにしたいわゆる２４時間風呂装置に関するものである。
【０００２】
【従来の技術】
最近、浴槽内の湯を絶えず清浄かつ適温に保ち、２４時間いつでも快適に入浴でき、しかも水の節約にもなる、浴槽湯の清浄化装置、すなわち２４時間風呂装置の利用が盛んになつてきた。
【０００３】
このような浴槽湯の清浄化装置の１例は図５に示す通りであり、１が浴槽、２が湯、３が浴槽１内の湯２を汲み上げるための吸湯管、４が吸湯管３で汲み上げられた湯を清浄化処理するための清浄化処理機器類をまとめて配備した装置本体、９が装置本体４で清浄化処理された湯を浴槽１内に再び噴出するための噴湯管である。
【０００４】
装置本体４には、湯を強制循環するための循環ポンプ５、湯を適温に保つための加熱装置としてのヒータ６、湯を紫外線殺菌するための紫外線ランプを収納した紫外線殺菌装置７、湯中の汚れを取り除くため、活性石、活性炭、セラミツクボール等の各種の粒状濾材を直接或いはバケットや網袋に入れたりして充填した濾過タンク８等の清浄化処理機器が配備されている。
【０００５】
１０は大きな汚れを装置本体４に汲み上げる前に予め取り除くためのプレフィルタ、１１は清浄化処理の終わった湯を流速の早いジエツト流として浴槽１内に噴出する吸気管１２がエジェクタ部に接続するジエットノズルである。
【０００６】
吸気管１２の先端には電磁弁１３が配備され、この電磁弁１３を開くと、ジエットノズル１１からは吸気管１２から吸い込んだ空気が湯に混ざって浴槽１に噴出し、泡風呂となる。
【０００７】
１４は湯温センサであり、この湯温センサ１４が検知した湯温に基づいて制御装置がヒータ６の作動を制御し、１５が吸湯管３と噴湯管９とを接続するバイパス管であり、噴湯管９には切換弁１６を介して接続され、この切換弁１６の切換によって装置本体４からの噴湯管９の湯の流をジエットノズル１１方向とバイパス管１５方向とに切り換える。
【０００８】
通常の清浄化運転で装置を作動すると、切換弁１６はジエットノズル１１方向に切り換えられていて、循環ポンプ５の作動にによって浴槽１内の湯２は、吸湯ユニット１０のプレフィルタで大きな汚れを予め取り除きながら吸湯管３から吸い込まれて装置本体４に入り、ヒータ６で適温に加熱され、紫外線殺菌装置７で紫外線殺菌され、濾過タンク８で濾過され、、噴湯管９を経てジェットノズル１１から浴槽１にジエット流として再び噴出する。
【０００９】
この場合に、前記したように電磁弁１３を開くと吸湯ユニット１１のジエットノズルからは吸気管１２から吸い込んだ空気を混入したジエット流が浴槽１内に噴出して泡風呂となる。
【００１０】
しかしながら湯は汚れがひどくしかも細菌の繁殖に好適な温度が２４時間保たれているので、紫外線で殺菌しただけでは完全に殺菌できない場合もある。
【００１１】
このため２４時間風呂といっても２４時間入浴が続いているわけではないので、各家庭での入浴時間帯でない時を見計らって装置を熱殺菌のモードで運転するよう設定する。
【００１２】
すると切換弁１６はジエットノズル１１方向からバイパス管１５方向に切り換わり噴湯管９と吸湯管３とがバイパイ管１５を介して直結した再循環用バイパス管路が開く。
【００１３】
再循環用のバイパス管路が開くと、装置本体４を循環して噴湯管９に排出した清浄化処理の終わった湯は、浴槽１に噴出されないで吸湯管３から装置本体４に戻りヒータ６で再び加熱され、このように再循環によって、ヒータ６による加熱を繰り返すと、湯温が７０℃まで上がって熱殺菌される。
【００１４】
このように再循環用のバイパス管路を利用すると、特別の熱殺菌装置を設けて装置のサイズを大型にしたり、電気容量を大きくしたりしないでも容易に熱殺菌できるので極めて好都合である。
【００１５】
【発明が解決しようとする課題】
しかしながら再循環用のバイパス管路を利用し熱殺菌する装置では、熱殺菌運転中に装置本体４或いは装置本体４内に配備された紫外線殺菌装置７や濾過タンク８の蓋といった清浄化処理機器類の開閉自在の蓋から熱湯が噴き出して利用者が火傷する恐れがあるといった解決しなければならない課題があった。
【００１６】
すなわち装置本体４、或いは装置本体４内に配備される紫外線殺菌装置７や濾過タンク８といった清浄化処理機器類の蓋は、利用者でも容易にメンテイナンスできるように容易に蓋を開けられるように開閉自在になっている。
【００１７】
このためまず利用者がメンテイナンス等のため開閉自在の蓋を開け、これをきちんと閉めない状態で熱殺菌運転を開始してしまう危険があり、このきちんと閉められていない蓋から吹き出した熱湯で装置に近づいた利用者が火傷する恐れがある。
【００１８】
また熱殺菌の運転は、浴室の温度、入浴設定温度、装置の大きさ等によって変わるものの、湯が７０℃程度までに加熱されるには３０分から６０分掛かる、かなり長い時間の運転である。
【００１９】
勿論熱殺菌運転中は装置にこれが表示されているものの、熱殺菌運転中であることを知らないで、或いは忘れてしまい、誤って開閉自在の蓋を開けてしまい、蓋から吹き出した熱湯で利用者が火傷する恐れもある。
【００２０】
本発明は前記したような従来技術の課題を解決し、再循環用のバイパス管路を利用し熱殺菌でき、利用者が、装置の開閉自在の蓋が開いた状態で熱殺菌運転してしまったり、また熱殺菌運転中に誤って開閉自在の蓋を開けてしまったりし、噴出した熱湯で火傷しないような安全装置を配備した浴槽湯の清浄化装置を提供することを目的とする。
【００２１】
【課題を解決するための手段】
本発明は、浴槽内の湯を循環ポンプにより吸湯管から汲み上げ、管路中に濾過装置、紫外線殺菌装置、加熱装置等を設けた装置本体で清浄化処理した後、噴湯管から浴槽内に再び噴出させる管路とを設け、前記循環ポンプの作動によって浴槽内の湯を吸湯管から装置本体内に吸い込まれて浄化されて前記ヒータで適温に加熱される通常の清浄化運転と、切換弁で切り換えられて、前記噴湯管と前記吸湯管とを直結する開閉自在の再循環用バイパス管路で噴湯管の湯を浴槽に噴出させないで吸湯管に戻して装置本体内を再び循環させ加熱を繰り返し、熱殺菌される湯温にして熱殺菌する熱殺菌のモード運転をするよう設定する浴槽湯の清浄化装置において、前記循環ポンプ、濾過装置、殺菌装置、加熱装置等の機器類を収納する装置本体の上端開口部を覆う開閉自在に装着されたトップカバーと、該トップカバーの開閉状態を検知するための蓋開閉検知手段とを備え、熱殺菌モードの運転に対して前記蓋開閉検知手段の蓋が開いているとの検知結果に基づいて熱殺菌モードの運転を中止するための信号を出力するようにしたことを特徴とする浴槽湯の清浄化装置とすることで課題を解決することができた。
さらに本発明は、浴槽内の湯を循環ポンプにより吸湯管から汲み上げ、管路中に濾過装置、紫外線殺菌装置、加熱装置等を設けた装置本体で清浄化処理した後、噴湯管から浴槽内に再び噴出させる管路とを設け、前記循環ポンプの作動によって浴槽内の湯を吸湯管から装置本体内に吸い込まれて浄化されて前記ヒータで適温に加熱される通常の清浄化運転と、切換弁で切り換えられて、前記噴湯管と前記吸湯管とを直結する開閉自在の再循環用バイパス管路で噴湯管の湯を浴槽に噴出させないで吸湯管に戻して装置本体内を再び循環させ加熱を繰り返し、熱殺菌される湯温にして熱殺菌する熱殺菌のモードの運転をするよう設定する浴槽湯の清浄化装置において、前記管路中に設けられた前記紫外線殺菌装置は、紫外線ランプを収納した保護管と、保護管の上端の開口に紫外線ランプに高周波の高電圧を印加するためのインバータボードを収納した回路ケースを設け、該回路ケース上を覆うＵＶキャップを設けると共に、該ＵＶキャップの開閉状態を検知する蓋開閉検知手段を備えて、熱殺菌モードの運転に対して前記蓋開閉検知手段の蓋が開いているとの検知結果に基づいて熱殺菌モードの運転を中止するための信号を出力するようにしたことを特徴とする浴槽湯の清浄化装置とすることで課題を解決することができた。
【００２２】
【発明の実施の形態】
本発明の実施の形態について、開閉自在の蓋に取り付けた磁石と、磁気に感応して作動する磁気近接型のリードスイッチとで蓋の開閉を検知するようにした蓋開閉検知センサの構成について、図１及び図２示す実施例に基づいて説明する。
【００２３】
図１には装置本体４の外観斜視図が示され、装置本体４には紫外線殺菌装置７と濾過タンク８とがメンテイナンスが容易なように上端の開口に臨んで配備され、この上端の開口は開閉自在の蓋であるトップカバー１７によって閉じられている。
【００２４】
また紫外線殺菌装置７と濾過タンク８とはメンテイナンスのために上端が開口しており、紫外線殺菌装置７については後に説明するが、濾過タンク８の上端の開口は、開閉自在のタンク蓋１８により閉じる。
【００２５】
１９が蓋開閉検知センサを構成する磁石で、トップカバー１７の裏面にねじ止めで取り付けられており、トップカバー１７を開閉し磁石１９が接近したり或いは離れたりして磁力の強さが変化すると磁気近接型のリードスイッチがＯＮ−ＯＦＦの作動をし、これをを検知する。
【００２６】
このリードスイッチとして、前記した磁石１９の磁力の強さに応じて作動する磁気近接型のリードスイッチを装置本体側に配備してある。
【００２７】
図２には紫外線殺菌装置７の縦断面図が示され、この紫外線殺菌装置７は、対向して２つの放電用の電極２１をランプ管の中に配備した紫外線ランプ２０を、ランプ管の割れを防ぐため上端の開口した保護管２２に収納して形成する。
【００２８】
保護管２２の上端の開口には回路ケース２３を取り付け、この保護管２２に取り付けた回路ケース２３は、紫外線ランプ２０の放電用の２つの対向した電極２１に高周波の高電圧を印加するための回路を形成したインバータボード２４を収納し、上端の開口を回路ケース蓋２５で密閉してある。
【００２９】
また装置本体４の上方部の取付板２９には、湯が流入口２７から流出口２８に向かって流れるジャケット２６が取り付けてある。
【００３０】
以上のような構成により紫外線殺菌装置７は、ジャケット２６に回路ケース２３の下方部を嵌め合わせることにより、装置本体４の開口部に臨んで着脱自在に、しかも開閉自在の蓋であるＵＶキャップ３０で覆って配備される。
【００３１】
３１が蓋開閉検知センサとしての磁気近接型のリードスイッチであり、回路ケース２３に収納したインバータボード２４に取り付けてある。
【００３２】
さらに紫外線殺菌装置７には、ＵＶキャップ３０の裏面にも磁石１９が取り付けられ、このＵＶキャップ３０の開閉もリードスイッチ３１で検知できるようになっている。
【００３３】
このようにリードスイッチ３１を装置本体側や紫外線殺菌装置７の回路ケース２３に配備すると、メンテイナンスのために装置本体４の開口部に臨んで開閉自在に配備されるトップカバー１７やＵＶキャップ３０のような蓋に取り付けた磁石１９に良く感応し、しかも密閉されていてほこりが付いたり湯がかかったりして誤動作したり腐食したりする心配が無く、さらに制御装置３２との接続も容易で好都合である。
【００３４】
次に図３の制御ブロック図と、図４のフローチャートに基づいて、前記したように蓋開閉検知センサとして、開閉自在のトップカバー１７やＵＶキャップ３０に磁石１９を取り付け、磁気近接型のリードスイッチ３１を紫外線殺菌装置７に配備した装置で、熱殺菌の運転をする時の制御について説明する。
【００３５】
図３において、３２が装置を全体的に制御するための制御装置であり、この制御装置３２は、中央演算処理装置としてのＣＰＵ３３、制御データや制御プログラムを記憶した記憶装置としてのＲＯＭ３４、演算処理のためデータの一時記憶装置としてのＲＡＭ３５より成るマイクロコンピュータであり、勿論ＲＯＭ３４には熱殺菌運転プログラムも記憶してある。
【００３６】
３６はキー入力装置であり、このキー入力装置３６には装置を運転させたり或いは停止させたりする運転／停止キー、湯温を設定する湯温設定キー、泡風呂とするためのジエットキー等の装置の通常の運転条件を設定する各種のキーの他に、熱殺菌運転を設定するための熱殺菌運転キー３７も配備してある。
【００３７】
１４は湯温センサであり、管路を流れる湯の温度を検知し、通常運転の時の入浴温度と、熱殺菌運転キー３７で設定された熱殺菌熱運転の時の熱殺菌温度とを制御する。
【００３８】
３８が開閉自在の蓋の開閉を検知する蓋開閉検知センサであり、例えば前記した実施例に示すように、開閉自在の蓋であるトップカバー１７やＵＶキャップ３０に取り付けた磁石１９と、紫外線殺菌装置７の回路ケース２３に配備した磁気近接型のリードスイッチ３１とで構成する。
【００３９】
３９は循環ポンプ５を、４０はヒータ６を、４１は紫外線ランプ２０を、４２は表示装置４３を各々駆動する、循環ポンプ駆動回路、ヒータ駆動回路、紫外線ランプ駆動回路、表示装置駆動回路である。
【００４０】
表示装置４３では、設定された様々な運転条件や湯温等を通常通りに表示すると同時に、開閉自在の蓋が開いてしまっていることを注意するための蓋開警告の表示もする。
【００４１】
次に図４のフローチャートに基づいて、ＲＯＭ３４に記憶された熱殺菌運転の制御プログラムについ説明する。
【００４２】
熱殺菌運転をするには、先ず第１ステップＳ１でキー入力装置３６の熱殺菌運転キー３７をＯＮにする。
【００４３】
すると第２ステップＳ２で噴湯管９の再循環用の切換弁１６がバイパス管１５側に自動的に切り換わり、第３ステップＳ３で循環ポンプ５が作動し、浴槽１内の湯２は吸湯管３から汲み上げられ装置本体４内を循環した後、バイパス管１５を経て再び装置本体４内に入り再循環を繰り返す、熱殺菌運転を開始する。
【００４４】
次に第４ステップＳ４では湯温センサ１４で湯温を検知しながら湯を７０度Ｃまで加温し、第５ステップＳ５で湯温が７０度Ｃに到った時点で熱循環タイマーを始動する。
そして第６ステップでは湯温７０度ＣとなるようにヒータのＯＮ−ＯＦＦ制御して熱循環温度制御する。
第７ステップＳ７で磁石１９とリードスイッチ３１とで構成される蓋開閉検知センサ３８が、トップカバー１７やＵＶキャップ３０といった開閉自在の蓋が開かれたのを検知したか否かを判別する。
【００４５】
第７ステップＳ７で蓋開閉検知センサ３８が、トップカバー１７やＵＶキャップ３０といった開閉自在の蓋は開いていないと判別すると、第８ステップＳ８でタイマーで設定時間経過したか否かを判別し、経過していないと判別されると、第６ステップＳ６にリターンして熱循環温度制御を継続する。
【００４６】
一方第７ステップＳ７で蓋開閉検知センサ３８が、トップカバー１７やＵＶキャップ３０といった開閉自在の蓋が開いていると判別すると、第９ステップＳ９で表示装置４３に蓋が開いていることの警告表示をすると共に、第１０ステップＳ１０ではヒータ６をＯＦＦとして加熱を停止し、第１１ステップＳ１１で循環ポンプ５をＯＦＦし熱殺菌運転を中止する。
【００４７】
【発明の効果】
本発明は以上のように構成され、特別に装置のサイズや電気容量を大きくしないでも再循環用のバイパス管路を利用し熱殺菌できるので殺菌が完全であり、しかも装置のメンテイナンスのために開閉自在となっている蓋に対して蓋の開閉を検知するセンサを配備してあるので、熱殺菌運転中に開閉自在の蓋が開いていて熱湯が吹き出して火傷する心配もなく安全な浴槽湯の清浄化装置を提供する。
【図面の簡単な説明】
【図１】                  装置本体外観斜視図、
【図２】                  紫外線殺菌装置縦断面図、
【図３】                  制御ブロック図、
【図４】                  フローチャート、
【図５】                  装置配管図。
【符号の説明】
１                    浴槽
２                    湯
３                    吸湯管
４                    装置本体
５                    循環ポンプ
６                    ヒータ
７                    紫外線殺菌装置
８                    濾過タンク
９                    噴湯管
１４                    湯温センサ
１５                    バイパス管
１６                    切換弁
１７                    トップカバー
１９                    磁石
２０                    紫外線ランプ
２２                    保護管
２３                    回路ケース
２４                    インバータボード
２６                    ジャケット
３０                    ＵＶキャップ
３１                    リードスイッチ
３２                    制御装置
３６                    キー入力装置
３７                    熱殺菌運転キー
３８                    蓋開閉検知センサ
【図１】
0003837210.tif 000002
【図２】
0003837210.tif 000003
【図３】
0003837210.tif 000004
【図４】
0003837210.tif 000005
【図５】
0003837210.tif 000006